(57)【要約】【課題】ＲＦＩＤタグの読み取りを効率的に行うことが可能な読取装置及びＰＯＳ装置を提供することである。【解決手段】実施形態によれば、読取装置は、収容室と、アンテナと、読取手段と、第１の部材とを備えている。前記収容室は、複数の面で形成され、ＲＦＩＤタグが付されている対象物を収容する。前記アンテナは、電波を放射する。前記読取手段は、前記アンテナを介して、前記ＲＦＩＤタグから情報を読み取る。前記第１の部材は、電気的に非伝導性の材料で構成され、前記複数の面のうち金属で構成されている面を覆う。【選択図】図３
2016162177.tif 000002
【特許請求の範囲】
【請求項１】
複数の面で形成され、ＲＦＩＤタグが付されている対象物を収容する収容室と、
電波を放射するアンテナと、
前記アンテナを介して、前記ＲＦＩＤタグから情報を読み取る読取手段と、
電気的に非伝導性の材料で構成され、前記複数の面のうち金属で構成されている面を覆う第１の部材と、
を備える読取装置。
【請求項２】
前記複数の面は、電波透過性を有する材料で構成されている第２の部材の第１面を含み、
前記アンテナは、前記第２の部材において前記第１面と対向する第２面側に位置する、
請求項１に記載の読取装置。
【請求項３】
前記第１の部材は、アクリル材で構成されている、請求項１または２に記載の読取装置。
【請求項４】
前記第１の部材は、クッション材で構成されている、請求項１または２に記載の読取装置。
【請求項５】
請求項１から４のうちの何れか１項に記載の読取装置と、
前記読取手段で読み取られた情報に基づいて、前記対象物の決済処理を行う決済処理手段と、
を備えるＰＯＳ装置。
【発明の詳細な説明】
【技術分野】
【０００１】
本発明の実施形態は、ＲＦＩＤ（Radio  Frequency  Identifier）タグの読取装置及びＰＯＳ（Point Of Sales）装置に関する。
【背景技術】
【０００２】
商品の決済処理を客自身が行うＰＯＳ(Point Of Sales)装置（商品販売データ処理装置、チェックアウト装置、レジ装置ともいう）が存在する。このようなＰＯＳ装置には、各商品に付されているＲＦＩＤタグ（ＲＦＩＤチップともいう）から商品情報を一括で読み取るＲＦＩＤアンテナを備える読取装置が搭載されている。客は、読取装置で読み取られた商品情報に基づいてＰＯＳ装置で決済処理を行う。
【０００３】
客は、商品を購入しようとする時に、商品を読取装置内に入れる。読取装置は、ＲＦＩＤアンテナから電波（電磁波）を発生させて、商品に付されているＲＦＩＤタグから情報を読み取る。または、読取装置は、ＲＦＩＤタグに情報を書き込む。ここで、ＰＯＳ装置が置かれている店舗内にはＲＦＩＤタグが付されている商品が点在している。読取装置から電波が漏れると、読取装置は、店舗内にある読取装置外のＲＦＩＤタグに対して情報を読み書きする可能性がある。
【０００４】
読取装置は、一般的に金属板で構成されている。その理由は、金属が電波を透過させない性質を有しているからである。読取装置が金属板で構成されていることで、読取装置外に電波が漏れることはない。
【先行技術文献】
【特許文献】
【０００５】
【特許文献１】特開２００７−２６４９１８号公報
【発明の概要】
【発明が解決しようとする課題】
【０００６】
客がカゴを使用して商品を読取装置内に入れる場合、読取装置の内面を構成する金属板とカゴとの間には空間が生じる。金属板とＲＦＩＤタグとの間にも空間が生じる。そのため、読取装置は、ＲＦＩＤタグに対する情報の読み書き性能を損ねることはない。
【０００７】
しかしながら、ＲＦＩＤタグの周囲に金属類があると、読取装置は、ＲＦＩＤタグに対する情報の読み書き性能を損ねてしまう。場合によっては、読取装置は、ＲＦＩＤタグに対して情報を読み書きできない。ＲＦＩＤタグの周囲に金属類がある場合とは、以下のようなケースが想定される。客がカゴを使用せずに、ＲＦＩＤタグが付されている商品を直接読取装置内に入れる。客は商品が入ったカゴを読取装置内に入れたが、ＲＦＩＤタグがカゴの外に出ている。このようなケースでは、ＲＦＩＤタグは、読取装置の内面を構成する金属板に触れる、または、極端に近づき過ぎる。
【０００８】
本発明の実施形態が解決しようとする課題は、ＲＦＩＤタグの読み取りを効率的に行うことが可能な読取装置及びＰＯＳ装置を提供することである。
【課題を解決するための手段】
【０００９】
実施形態によれば、読取装置は、収容室と、アンテナと、読取手段と、第１の部材とを備えている。前記収容室は、複数の面で形成され、ＲＦＩＤタグが付されている対象物を収容する。前記アンテナは、電波を放射する。前記読取手段は、前記アンテナを介して、前記ＲＦＩＤタグから情報を読み取る。前記第１の部材は、電気的に非伝導性の材料で構成され、前記複数の面のうち金属で構成されている面を覆う。
【図面の簡単な説明】
【００１０】
【図１】本実施形態に係るＰＯＳ装置の外観図。
【図２】本実施形態に係る読取装置の外観図。
【図３】本実施形態に係る読取装置の断面図。
【図４】本実施形態に係るＰＯＳ装置のブロック図。
【発明を実施するための形態】
【００１１】
以下、いくつかの実施の形態について、図面を参照して説明する。  
図１は、本実施形態に係るＰＯＳ装置１の外観図である。本実施形態で説明するＰＯＳ装置１は、例えば、少なくとも決済（会計）処理を行うための装置である。決済処理とは、客自身によるＰＯＳ装置１の操作に基づいて、客が購入しようとする商品の代金の精算を完了させる処理である。本実施形態では、商品（対象物ともいう）は、ＲＦＩＤタグが付されているものとする。ＲＦＩＤタグは、これが付されている商品の価格情報を記憶している。ＲＦＩＤタグは、これを識別するための識別情報（シリアルコードともいう）を記憶していることもある。なお、ＲＦＩＤタグは、価格情報や識別情報以外の情報を記憶していてもよい。
【００１２】
ＰＯＳ装置１は、読取装置１０１、カード挿入口１０２、レシート発行口１０３、紙幣入出口１０４、硬貨投入口１０５、硬貨取出口１０６及び表示部１０７を備えている。
【００１３】
読取装置１０１は、客が購入しようとする商品をそのまま、または、商品が入れられたカゴごと収容可能である。読取装置１０１は、ＰＯＳ装置１の下段に配置されている。読取装置１０１の形状及び読取装置１０１が備える要素については後述する。読取装置１０１は、各商品に付されている各ＲＦＩＤタグから、各ＲＦＩＤタグに記憶されている各種情報を一括で読み取る。例えば、読取装置１０１は、各商品に付されている各ＲＦＩＤタグから価格情報を一括で読み取る。例えば、読取装置１０１は、各商品に付されている各ＲＦＩＤタグから識別情報を一括で読み取る。
【００１４】
読取装置１０１は、商品に付されているＲＦＩＤタグに決済終了情報を書き込むこともできる。決済終了情報は、商品の決済処理が終了したことを示す情報である。決済終了情報は、店舗内の防犯に寄与する。例えば、店舗に設置されている防犯ゲートは、これを通過する商品に付されているＲＦＩＤタグから決済終了情報を読み取る。防犯ゲートが決済終了情報を読み取ることができなければ、防犯ゲートは警報を鳴らす。なお、読取装置１０１は、決済終了情報以外の情報をＲＦＩＤタグに書き込むこともできる。
【００１５】
カード挿入口１０２は、決済処理時に客がクレジットカードを挿入するためのユニットである。  
レシート発行口１０３は、決済処理時にレシートを発行するユニットである。  
紙幣入出口１０４は、決済処理時に客が紙幣を入れるユニットである。紙幣入出口１０４は、決済処理時に紙幣を排出されるユニットでもある。  
硬貨投入口１０５は、決済処理時に客が硬貨を投入するためのユニットである。
【００１６】
硬貨取出口１０６は、決済処理時にＰＯＳ装置１から返却される硬貨を客が受け取るためのユニットである。  
表示部１０７は、決済処理時に各種情報を表示する。表示部１０７は、ＰＯＳ装置１の上段に配置されている。例えば、表示部１０７は、液晶ディスプレイである。
【００１７】
次に、読取装置１０１の構成について説明する。図２は、本実施形態に係る読取装置１０１の外観図である。  
読取装置１０１は、載置台１０１１、筐体１０１２、蓋体１０１３及び開閉センサ１０１４を備えている。
【００１８】
載置台１０１１は、載置面１０１１ａが形成されている板状部材である。載置面１０１１ａは、ＲＦＩＤタグが付されている商品をそのまま、または、商品が入れられたカゴを載置する。載置面１０１１ａは、水平面である。載置台１０１１は、電波透過性を有する材料で構成されている。例えば、載置台１０１１は、絶縁体である。載置台１０１１は、木材やガラス材等で構成されている。載置台１０１１がこのような材料で構成されている理由は、ＲＦＩＤに対して読み書きするための電波を透過させるためである。
【００１９】
筐体１０１２は、読取装置１０１の外装である。筐体１０１２は、その内部に商品を収容する収容室１０１２ａを備えている。収容室１０１２ａは、商品をそのまま、または、商品が入れられたカゴごと収容可能な大きさで構成されている。収容室１０１２ａは、複数の面で形成されている。収容室１０１２ａ内の空間は、複数の面によって読取装置１０１外と分離されている。例えば、収容室１０１２ａは、６面で構成されている箱型形状である。なお、収容室１０１２ａを形成する面の数はこれに限定されない。筐体１０１２は、その内部に載置台１０１１を収容する。載置面１０１１ａは、収容室１０１２ａを形成する複数の面に含まれる。
【００２０】
筐体１０１２は、第１の内面１０１２ｂ及び開口部１０１２ｃを備えている。  
第１の内面１０１２ｂは、複数の面を含む。第１の内面１０１２ｂは、収容室１０１２ａを形成する複数の面に含まれる。
【００２１】
開口部１０１２ｃは、収容室１０１２ａ内へとつながるように筐体１０１２に形成されている。開口部１０１２ｃは、カゴを出し入れ可能な大きさで筐体１０１２に形成されている。開口部１０１２ｃは、筐体１０１２を構成する略鉛直方向に延びる面に形成されている。なお、開口部１０１２ｃは、筐体１０１２の何れの位置に形成されていてもよい。
【００２２】
蓋体１０１３は、開口部１０１２ｃを開閉する。蓋体１０１３は、一端側を軸として回動する。蓋体１０１３が開口部１０１２ｃを開けている状態（以下、開状態という）にある場合、客は、開口部１０１２ｃから収容室１０１２ａ内へ商品を入れることができる。蓋体１０１３は、第２の内面１０１３ａを備えている。蓋体１０１３が開口部１０１２ｃを閉じている状態（以下、閉状態という）にある場合、第２の内面１０１３ａは、収容室１０１２ａを形成する複数の面に含まれる。
【００２３】
上述のように、収容室１０１２ａは、載置面１０１１ａ、第１の内面１０１２ｂ及び第２の内面１０１３ａで形成されている。
【００２４】
筐体１０１２及び蓋体１０１３は、電波を反射する材料（以下、電波反射材料という）又は電波を吸収する材料（以下、電波吸収材料という）で構成されている。例えば、筐体１０１２及び蓋体１０１３は金属である。電波反射材または電波吸収材は、外部の電波が収容室１０１２ａ内に届くことを防ぐ。加えて、電波反射材または電波吸収材は、読取装置１０１内で発生した電波が読取装置１０１外へ漏れることを防ぐ。これにより、読取装置１０１は、外部からの電波を読み取ることはない。さらに、読取装置１０１は、外部のＲＦＩＤタグから情報を読み取ることもない。
【００２５】
開閉センサ１０１４は、蓋体１０１３と接する筐体１０１２の外面の任意の位置にある。開閉センサ１０１４は、蓋体１０１３の閉状態または開状態を検出する。
【００２６】
図３は、図２における読取装置１０１のＸ−Ｘ断面図である。蓋体１０１３は閉状態である。収容室１０１２ａは、複数の商品２０１が入れられたカゴ２０２を収容している。各商品２０１は、それぞれＲＦＩＤタグ２０３が付されている。
【００２７】
載置台１０１１は、載置面１０１１ａと対向する面１０１１ｂを備えている。筐体１０１２内には、載置台１０１１の面１０１１ｂと筐体１０１２の第１の内面１０１２ｂにより形成されている空間がある。筐体１０１２内のこの空間は、載置台１０１１を挟んで収容室１０１２ａと反対側に形成されている。
【００２８】
図３に示すように、読取装置１０１は、アンテナ１０１５を備えている。アンテナ１０１５は、面状のＲＦＩＤアンテナである。アンテナ１０１５は、電力が供給されることにより、ＵＨＦ帯等の電波を放射（出射ともいう）する。アンテナ１０１５は、収容室１０１２ａ内に向けて電波を放射する。
【００２９】
アンテナ１０１５は、載置台１０１１において載置面１０１１ａと対向する面１０１１ｂ側に位置している。アンテナ１０１５は、載置面１０１１ａと直交する方向において、載置面１０１１ａよりも収容室１０１２ａから離れた位置にある。アンテナ１０１５は、収容室１０１２ａ内に向けて電波を放射する。上述したように載置台１０１１は電波透過性を有する材料で構成されているため、アンテナ１０１５が放射する電波は、載置台１０１１を透過し、収容室１０１２ａ内に収容されている各商品２０１に付されている各ＲＦＩＤタグ２０３に届く。なお、読取装置１０１は、アンテナ１０１５の位置を移動させる駆動機構を備えていてもよい。読取装置１０１は、２つ以上のアンテナを備えていてもよい。
【００３０】
筐体１０１２は、第１の緩衝部材１０１２ｄを備えている。第１の緩衝部材１０１２ｄは、電気的に非伝導性の材料で構成されている。第１の緩衝部材１０１２ｄは、第１の内面１０１２ｂの全面を覆う。例えば、第１の緩衝部材１０１２ｄは、第１の内面１０１２ｂの全面に接するように筐体１０１２に貼り付けられている。第１の緩衝部材１０１２ｄの厚みは特に限定されない。第１の緩衝部材１０１２ｄは、薄い膜状部材であっても、厚みのある板状部材であってもよい。
【００３１】
蓋体１０１３は、第２の緩衝部材１０１３ｂを備えている。第２の緩衝部材１０１３ｂは、第１の緩衝部材１０１２ｄと同様に、電気的に非伝導性の材料で構成されている。第２の緩衝部材１０１３ｂは、第２の内面１０１２ａの全面を覆う。例えば、第２の緩衝部材１０１３ｂは、第２の内面１０１２ａの全面に接するように蓋体１０１３に貼り付けられている。第２の緩衝部材１０１３ｂの厚みは特に限定されない。第２の緩衝部材１０１３ｂは、薄い膜状部材であっても、厚みのある板状部材であってもよい。
【００３２】
なお、本実施形態では、電気的に非伝導性の材料で構成されている部材を緩衝部材と総称することもある。上述のように、緩衝部材は、収容室１０１２ａを形成する複数の面のうち金属で構成されている面を覆う。第１の緩衝部材１０１２ｄ及び第２の緩衝部材１０１３ｂを備える読取装置１０１の作用については後述する。
【００３３】
図４は、本実施形態に係るＰＯＳ装置１の制御系の構成を示すブロック図である。ＰＯＳ装置１は、制御部１１、記憶部１２、入力部１３、カード読取部１４、硬貨投入処理部１５、紙幣入出処理部１６、硬貨排出処理部１７、プリンタ１８、通信Ｉ／Ｆ(interface)１９、リーダライタ１０１６を備えている。なお、リーダライタ１０１６は、読取装置１０１に含まれていてもよい。
【００３４】
制御部１１は、ＰＯＳ装置１の各部に接続されている。制御部１１は、各部の動作を制御する。例えば、制御部１１は、ＣＰＵ（Central  Processing  Unit）である。  
記憶部１２は、制御部１１が実行するプログラムを記憶するＲＯＭ (Read Only Memory)を含むことができる。記憶部１２は、制御部１１がプログラムを実行する際に一時的にデータを記憶するＲＡＭ (Random Access Memory)を含むこともできる。記憶部１２は、各種データを記憶するＨＤＤ (Hard Disk Drive)を含むこともできる。
【００３５】
入力部１３は、ＰＯＳ装置１を利用する客が各種情報を入力可能または選択可能な要素である。例えば、入力部１３は、表示部１０７と一体のタッチパネルである。  
カード読取部１４は、カード挿入口１０２で挿入されたクレジットカードから情報を読み取る。
【００３６】
硬貨投入処理部１５は、決済処理時に客が硬貨投入口１０５に投入した硬貨の額を計算処理する。  
紙幣入出処理部１６は、決済処理時に客が紙幣入出口１０４に入金した紙幣の額を計算処理する。紙幣入出処理部１６は、決済処理時に釣りとして返却する紙幣の排出を処理する。  
硬貨排出処理部１７は、決済処理時に釣りとして返却する硬貨の硬貨取出口１０６への排出を処理する。
【００３７】
プリンタ１８は、決済処理時にレシートを発行し、レシート発行口１０３からのレシートの排出を処理する。  
通信Ｉ／Ｆ１９は、ＰＯＳ装置１に有線又は無線で接続された外部装置とデータを送受信するためのインターフェースである。
【００３８】
リーダライタ１０１６は、アンテナ１０１５に電力を供給する。リーダライタ１０１６は、ＲＦＩＤタグ２０３に記憶されている情報を読み取るための電波をアンテナ１０１５から放射させる。リーダライタ１０１６は、アンテナ１０１５で受けるＲＦＩＤタグ２０３からの電波によって伝達される信号（以下、受信信号という）に含まれている情報を読み取る。このようにして、リーダライタ（読取手段）１０１６は、アンテナ１０１５を介して、ＲＦＩＤタグ２０３から情報を読み取る。リーダライタ１０１６は、受信信号から読み取った情報を制御部１１へ送る。リーダライタ１０１６は、ＲＦＩＤタグ２０３に情報（例えば上述の決済終了情報）を書き込むための信号をアンテナ１０１５へ送ることもできる。リーダライタ１０１６は、この信号を伝達するための電波をアンテナ１０１５から放射させる。このようにして、リーダライタ１０１６は、アンテナ１０１５を介して、ＲＦＩＤタグ２０３に情報を書き込むことができる。
【００３９】
上述のように構成されているＰＯＳ装置１の処理の一例を説明する。  
制御部１１は、リーダライタ１０１６を用いて収容室１０１２ａ内の全ての商品２０１に付されているＲＦＩＤタグ２０３から価格情報を読み取るように制御する。  
制御部１１は、リーダライタ１０１６で読み取られた価格情報に基づいて、収容室１０１２ａに収容されている商品２０１の価格の合計値を表示部１０７に表示するように制御する。
【００４０】
制御部１１は、客によるカード挿入口１０２へのクレジットカードの挿入を検出する。または、制御部１１は、紙幣入出口１０４または硬貨投入口１０５への現金の投入を検出する。制御部１１は、リーダライタ１０１６で読み取られた価格情報に基づいて、クレジットカードまたは現金による商品２０１の決済処理を行う。制御部１１は、決済処理手段として機能する。
【００４１】
決済処理を終了すると、制御部１１は、リーダライタ１０１６を用いて収容室１０１２ａに収容されている各ＲＦＩＤタグ２０３に決済終了情報を書き込むように制御する。ＰＯＳ装置１による決済処理の終了後に、客は、収容室１０１２ａに収容されている商品２０１を取り出し、店舗から持ち出すことができる。
【００４２】
次に、第１の緩衝部材１０１２ｄ及び第２の緩衝部材１０１３ｂを備える読取装置１０１の作用について説明する。ここでは、客がカゴ２０２を使用せずに、ＲＦＩＤタグ２０３が付されている商品２０１を直接読取装置１０１内に入れるケースを想定する。同様に、客は商品２０１が入ったカゴ２０２を読取装置１０１内に入れたが、ＲＦＩＤタグ２０３がカゴ２０２の外に出るケースも想定する。
【００４３】
金属で構成されている第１の内面１０１２ｂとＲＦＩＤタグ２０３との間には、少なくとも第１の緩衝部材１０１２ｄが必ず存在する。第１の緩衝部材１０１２ｄは、第１の内面１０１２ｂとＲＦＩＤタグ２０３との間の距離をとることができる。同様に、金属で構成されている第２の内面１０１３ａとＲＦＩＤタグ２０３との間には、少なくとも第２の緩衝部材１０１３ｂが必ず存在する。第２の緩衝部材１０１３ｂは、第２の内面１０１３ａとＲＦＩＤタグ２０３との間の距離をとることができる。言い換えると、ＲＦＩＤタグ２０３は、第１の内面１０１２ｂ及び第２の内面１０１３ａに直接触れることも極端に近づくこともない。
【００４４】
アンテナ１０１５が電波を放射したとしても、第１の内面１０１２ｂ及び第２の内面１０１３ａを構成する金属は、ＲＦＩＤタグ２０３に悪影響を与えない。そのため、読取装置１０１は、ＲＦＩＤタグ２０３に対する情報の読み書き性能を損ねることはない。
【００４５】
本実施形態によれば、読取装置１０１は、ＲＦＩＤタグ２０３に対する情報の読み書き性能を損ねることなく、効率的に読み書きできる。
【００４６】
次に、緩衝部材の材質の一例を説明する。第１の緩衝部材１０１２ｄ及び第２の緩衝部材１０１３ｂは、例えば、アクリル材またはクッション材で構成されていてもよい。
【００４７】
第１の緩衝部材１０１２ｄ及び第２の緩衝部材１０１３ｂがアクリル材で構成されていると以下のような効果が得られる。アクリル材は、クッション材よりも剛性が高い。客が商品２０１をそのまま、または、商品２０１が入れられたカゴ２０２を収容室１０１２ａに入れるケースを想定する。商品２０１またはカゴ２０２は、第１の緩衝部材１０１２ｄ及び第２の緩衝部材１０１３ｂに引っかかることはない。客は、容易にカゴ２０２を収容室１０１２ａに入れることができる。
【００４８】
第１の緩衝部材１０１２ｄ及び第２の緩衝部材１０１３ｂがクッション材で構成されていると以下のような効果が得られる。クッション材は、アクリル材よりも剛性が低い。客が商品２０１をそのまま、または、商品２０１が入れられたカゴ２０２を収容室１０１２ａに入れるケースを想定する。商品２０１またはカゴ２０２は、第１の緩衝部材１０１２ｄ及び第２の緩衝部材１０１３ｂとの接触による摩擦が少ない。第１の緩衝部材１０１２ｄ及び第２の緩衝部材１０１３ｂは、収容室１０１２ａ内に入れられる商品２０１またはカゴ２０２が傷つくことを防ぐことができる。
【００４９】
次に、本実施形態の第１の変形例を説明する。アンテナ１０１５は、収容室１０１２ａ内にあってもよい。例えば、アンテナ１０１５は、収容室１０１２ａを形成する複数の面のうちの何れかの面上にあってもよい。収容室１０１２ａは、載置面１０１１ａ、第１の内面１０１２ｂ及び第２の内面１０１３ａで形成されている。第１の緩衝部材１０１２ｄは、第１の内面１０１２ｂの全面を覆う。第２の緩衝部材１０１３ｂは、第２の内面１０１３ａの全面を覆う。つまり、緩衝部材は、収容室１０１２ａを形成する複数の面のうち金属で構成されている面を覆う。
【００５０】
第１の変形例において、載置台１０１１は金属で構成されていてもよい。その理由は、アンテナ１０１５が収容室１０１２ａ内にあるからである。この場合、載置面１０１１ａの全面は緩衝部材で覆われる。つまり、緩衝部材は、収容室１０１２ａを形成する複数の面全てを覆う。
【００５１】
次に、本実施形態の第２の変形例を説明する。アンテナ１０１５は、第１の内面１０１２ｂ上にあってもよい。この場合、読取装置１０１は、アンテナ１０１５を基準として第１の内面１０１２ｂと反対側に、載置台１０１１と同様の板状部材を備えている。収容室１０１２ａは、載置面１０１１ａ、第１の内面１０１２ｂ、第２の内面１０１３ａ及びこの板状部材の面で形成される。緩衝部材は、第１の内面１０１２ｂ及び第２の内面１０１３ａを覆う。なお、載置面１０１１ａが金属で構成されている場合には、緩衝部材は、載置面１０１１ａも覆う。つまり、緩衝部材は、収容室１０１２ａを形成する複数の面のうち金属で構成されている面を覆う。なお、アンテナ１０１５が第２の内面１０１３ａ上にある場合も同様である。
【００５２】
次に、本実施形態の第３の変形例を説明する。緩衝部材は、収容室１０１２ａを形成する面に貼り付けられていなくてもよい。緩衝部材は、収容室１０１２ａを形成する面のうち金属で構成されている面を覆えていればよい。例えば、緩衝部材は、収容室１０１２ａを形成する面と接することなく、所定間隔離れた位置にあってもよい。
【００５３】
本実施形態では、読取装置１０１がＰＯＳ装置１に適用されている例を説明したが、これに限定されない。読取装置１０１は、他の装置に搭載されても、単独で用いられてもよい。例えば、読取装置１０１は、収容室１０１２ａ内にＲＦＩＤタグが付された対象物（例えば薬など）を入れて、ＲＦＩＤタグから対象物の情報を読み取ることができる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１…ＰＯＳ装置、１１…制御部、１２…記憶部、１３…入力部、１４…カード読取部、１５…硬貨投入処理部、１６…紙幣入出処理部、１７…硬貨排出処理部、１８…プリンタ、１９…通信Ｉ／Ｆ、１０１…読取装置、１０２…カード挿入口、１０３…レシート発行口、１０４…紙幣入出口、１０５…硬貨投入口、１０６…硬貨取出口、１０７…表示部、２０１…商品、２０２…カゴ、２０３…ＲＦＩＤタグ、１０１１…載置台、１０１１ａ…載置面、１０１１ｂ…面、１０１２…筐体、１０１２ａ…収容室、１０１２ｂ…第１の内面、１０１２ｃ…開口部、１０１２ｄ…第１の緩衝部材、１０１３…蓋体、１０１３ａ…第２の内面、１０１３ｂ…第２の緩衝部材、１０１４…開閉センサ、１０１５…アンテナ、１０１６…リーダライタ。
【図１】
2016162177.tif 000003
【図２】
2016162177.tif 000004
【図３】
2016162177.tif 000005
【図４】
2016162177.tif 000006